【手続補正書】
【提出日】平成20年10月27日(2008.10.27)
【手続補正１】
【補正対象書類名】明細書
【補正対象項目名】００２３
【補正方法】変更
【補正の内容】
【００２３】
図１は本発明を適用した記録再生装置１００の一実施の形態の構成例を示すブロック図である。この記録再生装置１００には、音声データを入力してデジタル信号に変換する音声Ａ／Ｄ変換処理系１０１、音声Ａ／Ｄ変換処理系１０１で変換された音声のデジタル信号を入力してエンコードする音声エンコーダ処理系１０２、映像データを入力しデジタル信号に変換する画像Ａ／Ｄ変換処理系１０６と、画像Ａ／Ｄ変換処理系１０６で変換された映像のデジタル信号を入力してエンコードする映像エンコーダ処理系１０７が設けられている。
【手続補正２】
【補正対象書類名】明細書
【補正対象項目名】００２６
【補正方法】変更
【補正の内容】
【００２６】
さらに、記録再生装置１００には、記録媒体系１０５に記録されているデータを再生する再生処理系１０９、再生処理系１０９で再生された音声及び映像のデータを分離する再生データ分離処理系１１０、分離された音声データをデコードする音声デコード処理系１１１、デコードされた音声データをアナログ信号に変換して出力する音声Ｄ／Ａ変換処理系１１２、再生データ分離処理系１１０で分離された映像データをデコードする映像デコード処理系１１３、デコードされた映像データをアナログ信号に変換して出力する映像Ｄ／Ａ変換処理系１１４が設けられている。再生処理系１０９は、再生する映像データを所定の量だけ保持するバッファメモリ１４１を内部に有している。また、映像デコード処理系１１３は、再生される映像に基づいて生成される画像であって、後述するサムネイル画像を必要に応じて生成する。
【手続補正３】
【補正対象書類名】明細書
【補正対象項目名】００３４
【補正方法】変更
【補正の内容】
【００３４】
記録再生装置１００においては、音声信号は音声Ａ／Ｄ変換処理系１０１に入力され所定のＡ／Ｄ変換処理が行われた後、音声エンコーダ処理系１０２に入力されＭＰＥＧオーディオやＡＣ３オーディオなど所定の帯域圧縮信号処理が行われる。その後、多重化処理系１０３に入力し所定の多重化処理が行われる。
【手続補正４】
【補正対象書類名】明細書
【補正対象項目名】００５４
【補正方法】変更
【補正の内容】
【００５４】
ステップＳ１０１において、システムコントローラ１１９は、ユーザ入力I/F系１１８を介して入力されるコマンドなどに基づいて、再生すべきコンテンツの選択を受け付ける。
【手続補正５】
【補正対象書類名】明細書
【補正対象項目名】００６５
【補正方法】変更
【補正の内容】
【００６５】
同図において、横軸は時間であり、図中左から右に向かって時間が経過していくものとする。また、縦軸は、ハイライトシーン検出用評価値の値であり、値Rthは、ハイライトシーンを特定するための閾値とされる。ハイライトシーンは、例えば、ハイライトシーン検出用評価値が値Rthを上回ったとき（図中の点Pa）の時刻Th1のフレームに対応する画像とされるようにしてもよいし、または、ハイライトシーン検出用評価値が値Rthを上回っている区間（図中の点PaからPｃまでの区間）において、最も高い値をもつとき（図中の点Pb）の時刻Th2のフレームに対応する画像とされるようにしてもよい。
【手続補正６】
【補正対象書類名】明細書
【補正対象項目名】００７１
【補正方法】変更
【補正の内容】
【００７１】
例えば、時刻T３に対応するフレームの画像がハイライトシーンとして検出された場合、時刻T３より時間的に前であって、ハイライトシーン検出用評価値の波形の中で値Rth1を超え、波形の頂点を形成する点（図中の点Ｐｌ乃至Ｐo）に対応する時刻Ｔn0乃至Tn３がサムネイル画像のフレームを特定するための時刻として設定され、時刻Tn0乃至Tn3のそれぞれのフレームに対応する画像がそれぞれサムネイルの画像とされる。
【手続補正７】
【補正対象書類名】明細書
【補正対象項目名】００７２
【補正方法】変更
【補正の内容】
【００７２】
また、ハイライトシーン検出用評価値の波形の中で値Rth1を超え、波形の頂点を形成する点が多数存在するなどの場合、ハイライトシーンの時刻（T３）より前の時間を、所定の単位で分割し、例えば、時刻T1からT2までの時間内において、所定の数だけサムネイル画像のフレームが特定され、時刻T2からT3までの時間内において、所定の数だけサムネイル画像のフレームが特定されるようにしてもよい。
【手続補正８】
【補正対象書類名】明細書
【補正対象項目名】００８７
【補正方法】変更
【補正の内容】
【００８７】
例えば、ユーザ入力I/F系１１８を介して、画像表示処理の終了を指令するコマンドなどが入力された場合、ステップS１０８において終了が指令されたと判定され、処理は終了する。
【手続補正９】
【補正対象書類名】明細書
【補正対象項目名】００９６
【補正方法】変更
【補正の内容】
【００９６】
ステップＳ２０１において、システムコントローラ１１９は、ユーザ入力I/F系１１８を介して入力されるコマンドなどに基づいて、再生すべきコンテンツの選択を受け付ける。
【手続補正１０】
【補正対象書類名】明細書
【補正対象項目名】０１００
【補正方法】変更
【補正の内容】
【０１００】
ステップＳ２０５において、図１３を参照して後述するサムネイル表示処理が実行される。
【手続補正１１】
【補正対象書類名】明細書
【補正対象項目名】０１０１
【補正方法】変更
【補正の内容】
【０１０１】
ここで、図１３のフローチャートを参照して、図１２のステップＳ２０５のサムネイル表示処理の詳細について説明する。
【手続補正１２】
【補正対象書類名】明細書
【補正対象項目名】０１１３
【補正方法】変更
【補正の内容】
【０１１３】
例えば、ユーザ入力I/F系１１８を介して、画像表示処理の終了を指令するコマンドなどが入力された場合、ステップS２０６において終了が指令されたと判定され、処理は終了する。
【手続補正１３】
【補正対象書類名】明細書
【補正対象項目名】０１２０
【補正方法】変更
【補正の内容】
【０１２０】
ステップＳ３０１において、システムコントローラ１１９は、ユーザ入力I/F系１１８を介して入力されるコマンドなどに基づいて、再生すべきコンテンツの選択を受け付ける。
【手続補正１４】
【補正対象書類名】明細書
【補正対象項目名】０１２６
【補正方法】変更
【補正の内容】
【０１２６】
ステップS３２１において、システムコントローラ１１９は、ユーザ入力I/F系１１８を介して入力されるコマンドなどに基づいて、ハイライトシーンの指定を受け付ける。このとき、例えば、図１１に示される表示画面２０１において、領域２０２に表示されているハイライトシーンの画像（フレームSｎまたはＴｎの画像）のうち、いずれかのハイライトシーンの画像がユーザにより選択される。
【手続補正１５】
【補正対象書類名】明細書
【補正対象項目名】０１２９
【補正方法】変更
【補正の内容】
【０１２９】
ステップＳ３２４において、システムコントローラ１１９は、ステップＳ３２３の処理により実行されているリプレイ再生において、ハイライトシーンが再生されたか否かを判定する。例えば、ステップＳ３２１の処理で、ハイライトシーンとしてフレームＳｎに対応する画像が指定された場合、ステップＳ３２２の処理では、フレームＳｎの時間的に前の映像データであって、フレームＳｎから所定の時間分だけの映像データがバッファメモリ１４１に保持され、ステップＳ３２３では、ステップＳ３２２の処理でバッファメモリ１４１に保持された映像データが時間的に前のデータから順に再生される。そして、フレームＳｎのデータまで再生されたとき、ステップＳ３２４では、ハイライトシーンが再生されたと判定される。
【手続補正１６】
【補正対象書類名】明細書
【補正対象項目名】０１３４
【補正方法】変更
【補正の内容】
【０１３４】
例えば、ユーザ入力I/F系１１８を介して、画像表示処理の終了を指令するコマンドなどが入力された場合、ステップS３０６において終了が指令されたと判定され、処理は終了する。
【手続補正１７】
【補正対象書類名】明細書
【補正対象項目名】０１３５
【補正方法】変更
【補正の内容】
【０１３５】
なお、ステップS３０３において、現在記録再生装置１００がリプレイモードに設定されていないと判定された場合、処理は、ステップS３０８に進み、通常の表示が行われる。この場合、ディスプレイの表示画面２０１には、図３のように、再生される映像が表示され続け、サムネイル画像の表示は行われない。
【手続補正１８】
【補正対象書類名】図面
【補正対象項目名】図１
【補正方法】変更
【補正の内容】
【図１】
2007123981.tif 000001